(57)【要約】【課題】適度な押し込み力で、遊技機の枠体への遊技盤の確実な装着を可能にした遊技盤の装着具を提供する。【解決手段】装着具２は、本体枠１の横枠部１２，１３に設置された基体３と、当該基体３に設けられ、本体枠１の基体取付面１２ａに沿った方向で基体３から進出ないし退入可能なスライド部材４と、前記スライド部材４を進出方向へ付勢するバネ部材６２と、基体３に設けられ、スライド部材４に係合してその進出を規制するとともに、本体枠１の基体取付面１２ａに交差する方向の前方から遊技盤７が当該本体枠１に接近させられる過程で遊技盤７の側縁部７３に押されてスライド部材４との係合を解消し当該スライド部材４を側縁部７３の前面に沿って進出させる進出規制部材５とを具備している。【選択図】        図４
2017176325.tif 000002
【特許請求の範囲】
【請求項１】
枠体の開口内に遊技盤を装着するための装着具であって、枠体の枠部に設置された基体と、当該基体に設けられ、前記枠体の基体取付面に沿った方向で前記基体から進出ないし退入可能なスライド部材と、前記スライド部材を進出方向へ付勢する付勢部材と、前記基体に設けられ、前記スライド部材に係合してその進出を規制するとともに、前記枠体の基体取付面に交差する方向の前方から遊技盤が当該枠体に接近させられる過程で前記遊技盤の縁部に押されて前記スライド部材との係合を解消し当該スライド部材を前記縁部の前面に沿って進出させて遊技盤装着状態とする進出規制部材とを具備する遊技盤の装着具。
【請求項２】
前記遊技盤装着状態において、前記遊技盤の前記縁部の後面に向けて前記進出規制部材を押圧付勢する付勢部材を設けた請求項１に記載の遊技盤の装着具。
【発明の詳細な説明】
【技術分野】
【０００１】
本発明は遊技盤の装着具に関し、特に遊技盤を遊技機の枠体内に確実に装着するための装着具に関するものである。
【背景技術】
【０００２】
引用文献１にはこの種の装着具が示されており、遊技機の表枠本体の開口部に係合部を備えたロック板を設け、このロック板には下方に向く先端を山形とした係合部が形成されている。ロック板はスプリングによって枠部に沿う下方へ付勢されている。一方、遊技盤には係止突片が設けられて、遊技盤を表枠本体の開口部内に押し込むと、押し込む過程で係止突片が山形係合部の斜面に当接してロック板を付勢力に抗して上方に押し上げる。そして、係止突片が山形係合部を通過して遊技盤の押込みが完了すると、ロック板が再び下方へ戻されて山形係合部が係止突起と係合し、遊技盤の装着が完了する。
【先行技術文献】
【特許文献】
【０００３】
【特許文献１】実公平２−４３４２７
【発明の概要】
【発明が解決しようとする課題】
【０００４】
しかし、上記従来の装着具では、装着が確実になされるようにスプリングの付勢力を強くすると遊技盤の押し込みに力を要することになり、一方、スプリングの付勢力を弱めると遊技盤の装着の確実性が損なわれるという問題があった。
【０００５】
そこで、本発明はこのような課題を解決するもので、適度な押し込み力で、遊技機の枠体への遊技盤の確実な装着を可能にした遊技盤の装着具を提供することを目的とする。
【課題を解決するための手段】
【０００６】
上記目的を達成するために、本第１発明では、枠体（１）の開口（１１）内に遊技盤（７）を装着するための装着具（２）であって、枠体（１）の枠部（１２，１３）に設置された基体（３）と、当該基体（３）に設けられ、前記枠体（１）の基体取付面（１２ａ）に沿った方向で前記基体（３）から進出ないし退入可能なスライド部材（４）と、前記スライド部材（４）を進出方向へ付勢する付勢部材（６２）と、前記基体（３）に設けられ、前記スライド部材（４）に係合してその進出を規制するとともに、前記枠体（１）の基体取付面（１２ａ）に交差する方向の前方から遊技盤（７）が当該枠体（１）に接近させられる過程で前記遊技盤（７）の縁部（７３）に押されて前記スライド部材（４）との係合を解消し当該スライド部材（４）を前記縁部（７３）の前面に沿って進出させる進出規制部材（５）とを具備している。
【０００７】
本第１発明においては、進出方向へ付勢されているスライド部材に係合してその進出を規制している進出規制部材を、枠体への装着時に遊技盤の縁部で押してスライド部材との係合を解消させるようにしたから、適度な押込み力を遊技盤に与えるだけで進出規制部材のスライド部材との係合を解消させてスライド部材を進出させることで遊技盤を枠体に確実に装着することができる。また、本第１発明においては、基体取付面に交差する方向（前後方向）へ突出する部材が無いから、スペース上有利である。また、リンク機構等を使用していないから構造簡易である。
【０００８】
本第２発明では、前記ロック状態において、前記遊技盤（７）の前記縁部（７３）の後面に向けて前記進出規制部材（５）を押圧付勢する付勢部材（６１）を設ける。なお、本第２発明における付勢部材は本第１発明における付勢部材を兼用させても良いし、別体でも良い。
【０００９】
本第２発明においては、ロック状態で遊技盤はその後面が進出規制部材によって押圧されるから、遊技盤の前面が、スライド部材の後面に確実に当接させられる。これにより、装着時の遊技盤が前面基準で位置決めされる。
【００１０】
上記カッコ内の符号は、後述する実施形態に記載の具体的手段との対応関係を参考的に示すものである。
【発明の効果】
【００１１】
以上のように、本発明の遊技盤の装着具によれば、適度な押し込み力で、遊技機の枠体への遊技盤の確実な装着が可能である。
【図面の簡単な説明】
【００１２】
【図１】遊技盤未装着時のパチンコ遊技機の本体枠の概略正面図である。
【図２】遊技盤未装着時の本体枠に設けた装着具の拡大正面図である。
【図３】装着具の斜視図である。
【図４】装着具の断面図で、図３のIV-IV線に沿った断面図である。
【図５】図３の矢印Ｘ方向から見た端面図である。
【図６】遊技盤装着時のパチンコ遊技機の本体枠の概略正面図である。
【図７】遊技盤の装着過程を示す装着具の断面図である。
【図８】遊技盤の装着過程を示す装着具の断面図である。
【図９】遊技盤装着時の本体枠に設けた装着具の拡大正面図である。
【発明を実施するための形態】
【００１３】
なお、以下に説明する実施形態はあくまで一例であり、本発明の要旨を逸脱しない範囲で当業者が行う種々の設計的改良も本発明の範囲に含まれる。
【００１４】
図１にはパチンコ遊技機の本体枠の概略正面図を示す。図１において、枠体たる本体枠１は上半部が、背板で閉鎖された矩形の開口１１となっており、当該開口１１内に後述するようにほぼ同形の矩形の遊技盤が装着される。本体枠１の上下の横枠部１２，１３には正面向かって右端部にそれぞれ以下に詳細を説明する装着具２が設けられている。なお、上下の装着具２は同一構造である。
【００１５】
図２には図１に示した装着具２の拡大正面図を示す。また、図３にはその斜視図を、図４にはその断面図を示し、さらに図５には、図３のＸ矢印方向から見た端面図を示す。各図において、装着具２は、板体をコ字形に屈曲させ並立する側壁３１，３２を備えた基体３を有している。基体３は長手方向の両端部に設けた取付穴３３１に挿入したビス３４（図２）によって本体枠１の横枠部１２，１３の、基体取付面たる前面１２a（図４）に取り付けられている。
【００１６】
基体３の上記側壁３１，３２間にはスライド部材４と進出規制部材５が配設されている。スライド部材４は板体をコ字形に屈曲させてその開放側を基体３の底壁３３に向けて位置させられ、その並立した側壁４１，４２のそれぞれに（図４に一方のみ示す）ガイド用長穴４３，４４が形成されている。長穴４３，４４は各側壁４１，４２の長手方向の一端部と他端部で、基体底壁３３から遠い側と基体底壁３３に近い側に形成されている。
【００１７】
長穴４３，４４は基体底壁３３に平行に延びており、各長穴４３，４４内には基体３の側壁３１，３２間に架設された軸体３５が挿通されている。これによってスライド部材４は基体底壁３３に平行に、すなわち基体３が取り付けられた上記横枠部１２，１３の取付面に沿ってこれに平行に、退入端と進出端との間で移動案内されるようになっている。なお、図４はスライド部材４が右端の退入端にある状態を示している。スライド部材４の頂壁４５の段付きに低くした一端部には上方へＬ字形に屈曲させて操作片４６が形成されている。
【００１８】
進出規制部材５は側面視でく字状に屈曲して（図４）、スライド部材４の空間内に位置している。その屈曲部は基体３の側壁３１，３２間に架設した軸体３６に回動可能に結合されている。進出規制部材５の一辺５１はコ字形断面をなし、基体３の底壁３３から漸次離間するように斜めに延びて、その先端部５１１が基体３外へ露出している（図３）。  
【００１９】
進出規制部材５の軸体３６の周囲にはバネ部材（ねじリコイルバネ）６１が配設され、その一端は基体３の底壁３３に切り起しによって形成された係止片３３１（図５）に係止されるとともに、他端は進出規制部材５の他辺５２に起立形成されたバネ係止片５２１に係止されている。このようなバネ部材６１によって、進出規制部材５は図４の時計方向、すなわち進出規制部材５の一辺先端部５１１が基体３外（遊技機前方）へ突出する方向へ付勢されている。
【００２０】
また、進出規制部材５の他辺５２先端に屈曲形成されたバネ係止片５２２とスライド部材の退入方向の端部に屈曲形成されたバネ係止片４７との間にバネ部材（引張バネ）６２がやや伸長状態で配設されている。このようなバネ部材６２の収縮バネ力によって、スライド部材４は進出方向（図４の左方）へ付勢されている。
【００２１】
進出規制部材５の一辺５１にはその両側壁の屈曲部に近い位置とこれより先端方向へ離れた位置にそれぞれ、外方へ向けてピン状の突部５１２，５１３が設けてある。そして、突部５１２はスライド部材４の奥側（基体底壁３３側）面に当接して、これによって進出規制部材５の図４の時計方向への回動が規制されている。一方、進出規制部材５の突部５１３はスライド部材４の進出側の側面に当接しており、これによってスライド部材４の進出作動（図４の左方）が規制されている。
【００２２】
このような状態で本体枠１の開口１１内に図６に示すように遊技盤７が装着される。遊技盤７の前面は大部分が略円形の遊技領域７１となっている。なお、遊技領域７１に設置されている役物等は図示を省略してある。上記開口１１内に遊技盤７１を装着する際には、開口１１の下側で遊技盤７を受け支えるとともに、その正面向かって左側の側縁部７２の上下位置を、本体枠１の縦枠部１１（図１）に設けられた公知の受け部（図示略）内に差し込み、ここを縦軸として右側側縁部７３を本体枠１に向けて水平回動させて、本体枠１から前方に向けて突出する位置決め突起（図示略）が、遊技盤７に開設された孔（図示略）に勘合することによって遊技盤７の上下左右方向（遊技盤面に平行な方向）の位置を規制した状態で、当当該側縁部７３の上下縁をそれぞれ上下の装着具２に押し込む。
【００２３】
押し込まれた遊技盤７の側縁部７３は図７に示すように、装着具２の基体３から露出している進出規制部材５の一辺先端部５１１に当接して、進出規制部材５をバネ部材６１のバネ力に抗して基体３の底壁３３に向けて図７の反時計方向へ回動させる。この回動に伴い、進出規制部材５の突部５１３も底壁３３方向、すなわちスライド部材４の進出側側面との当接を解消する方向へ移動する。この間、進出規制部材５の回動に伴ってバネ部材６２はさらに伸長変形させられるから、スライド部材４はバネ部材６２の収縮バネ力で強力に進出方向へ付勢される。
【００２４】
このような構造によって、設置が容易な比較的弱いバネ力のバネ部材６２を使用しても、スライド部材４が進出可能となる時点ではバネ部材６２は伸長変形させられてそのバネ力がスライド部材４を速やかに進出させられる程度に増大させられる。
【００２５】
上記突部５１３とスライド部材４の進出側側面との当接が解消されると、スライド部材４は勢いよく基体３から進出させられて、その進出側側面に形成された略矩形の突出部４８が、図７の鎖線で示すように、遊技盤側縁部７３の前方（図７の上方）へ進出し位置させられる。ここで、進出規制部材突部５１３とスライド部材４の進出側側面との当接が解消されるよりも先に、遊技盤７の側縁部７３前面は突出部４８の後面４８ａから十分後方へ離れるから（図７）、スライド部材４は進出規制部材５と干渉することなくスムーズに遊技盤側縁部７３の前方へ進出させられる。
【００２６】
この状態で、進出規制部材５の突部５１２と、スライド部材４の基体底壁３３に面する後側側面４ａとの間はもちろん、突部５１３と上記後側側面４ａとの間にも十分な間隙ｄが形成されている。したがって、突部５１３は上記後側側面４ａに当接することはなく、遊技盤側縁部７３から手を離すと、遊技盤側縁部７３の後面にはバネ部材６１で付勢された進出規制部材５が当接していることにより、遊技盤７は上記側縁部７３の前面が、スライド部材４の突出部後面４８ａに当接するまで前方へ戻される（図８）。これにより、遊技盤７が確実に前面基準で位置決めされる。この状態の装着具２の拡大正面図を図９に示す。
【００２７】
なお、遊技盤７の装着に際しては両手を使って十分大きな押込み力でその側縁部７３を押し込むことが可能であるから、バネ部材６１のバネ力を比較的大きく設定しても、進出規制部材５の基体底壁３３方向への回動は支障なく行われる。そして、バネ部材６１の大きなバネ力によって、装着状態での遊技盤７の側縁部７３前面を確実にスライド部材４の突出部後面４８ａに当接させることができる。
【００２８】
遊技盤７を取り外す場合は、操作片４６を掴んでスライド部材４をバネ部材６２のバネ力に抗して退入方向（図８の右方）へ引く。これにより、スライド部材４の突出部４８が遊技盤側縁部７３の前面から外れて（図７の状態）解除状態となり遊技盤７の取り外しが可能となる。この際、進出規制部材５の突部５１３は、基体底壁３３に向けて傾斜しているスライド部材４の後側側面４ａの傾斜部に当接しつつ基体底壁３３に向けて押しやられる。これにより、進出規制部材５の一辺５１は、遊技盤７の側縁部７３後面から離れ、側縁部７３後面を押す進出規制部材５の力が無くなるから、スライド部材４と遊技盤側縁部７３との摩擦力が緩和されて、遊技盤７の取り外しがより容易となる。
【００２９】
突部５１３がスライド部材４の後側側面４ａから外れると、進出規制部材５はバネ部材６１のバネ力によって、図８の時計方向、すなわちその一辺５１が基体底壁３３から離れる方向へ戻り回動させられ、突部５１２がスライド部材４の後側側面４ａに当接してそれ以上の戻り回動が規制される。同時に突部５１３はスライド部材４の進出側の側面に当接し（図４の状態）、これによってスライド部材４の進出作動（図４の左方）が再び規制される。そして進出規制部材５がバネ部材６１のバネ力によって再び遊技盤７を前方に押し出すことで、遊技盤７の周縁部７３が左側の周縁部７２を支点にして前方に移動し、作業者が容易に遊技盤７を取り外すことができるようになる。また、スライド部材４を付勢するバネ部材６２よりも進出規制部材５を付勢するバネ部材６１のバネ力を大きくすることで、確実な遊技盤７の装着と容易な着脱操作を両立することができる。
【００３０】
上記実施形態において、装着具２で直接遊技盤７を装着するのに代えて、遊技盤７に設けた別部材、例えば装飾板等を介して装着するようにしても良い。また、装着時の、進出規制部材５による遊技盤７の側縁部７３背面への押圧を確実に保証するためには、進出規制部材５の突部５１３とスライド部材４の後側側面４ａとの間に十分な隙を確保する必要があり、このために、上記後側側面４ａの傾斜部の、上記突部５１３に対向するに部分を切り欠いても良い。
【００３１】
また、バネ部材６２はスライド部材４と進出規制部材５との間では無く、スライド部材４と基体３との間に張設しても良い。さらに、バネ部材６２をスライド部材４と進出規制部材５との間に設けて、バネ部材６1は省略してバネ部材６２で進出規制部材５の回動付勢とスライド部材４の進出付勢を兼ねさせるようにもできる。
【００３２】
装着具２は全体を金属製とする必要はなく、基台３や進出規制部材５、スライド部材４の少なくとも一つを樹脂製としても良い。また、装着具２は水平姿勢で設置される（図１参照）必要はなく、必要に応じて姿勢を変えて使用することができる。その設置位置も本体枠１の横枠部１２，１３には限られない。  
【符号の説明】
【００３３】
１…本体枠（枠体）、１１…開口、１２…横枠部（枠部）、１２ａ…基体取付面、１３…横枠部、２…装着具、３…基体、４…スライド部材、５…進出規制部材、６１…バネ部材（付勢部材）、６２…バネ部材（付勢部材）、７…遊技盤、７３…側縁部（縁部）。
【図１】
2017176325.tif 000003
【図２】
2017176325.tif 000004
【図３】
2017176325.tif 000005
【図４】
2017176325.tif 000006
【図５】
2017176325.tif 000007
【図６】
2017176325.tif 000008
【図７】
2017176325.tif 000009
【図８】
2017176325.tif 000010
【図９】
2017176325.tif 000011